(57)【要約】【課題】  日常生活において恒常的に装身して、男性性器を装身したという完全な充足感を得られるようにする。【解決手段】  前身頃１と脇見頃に連続した後身頃２とが伸縮性を有する布地で形成されている。前身頃１，後身頃２の腹部側の縫合部３が腹部が挿通される開口の縁加工部４から前身頃１，後身頃２の股間側の縫合部６に延びている。前身頃１の内側に前身頃１，後身頃２の腹部側の縫合部３の下半部と前身頃１，後身頃２の股間側の縫合部６とに袋形に縫着された裏布７が設けられている。【選択図】図１
2010261141.tif 000002
【特許請求の範囲】
【請求項１】
前身頃と脇見頃に連続した後身頃とが伸縮性を有する布地で形成され、前身頃，後身頃の腹部側の縫合部が腹部が挿通される開口の縁加工部から前身頃，後身頃の股間側の縫合部に延び、前身頃の内側に前身頃，後身頃の腹部側の縫合部の下半部と前身頃，後身頃の股間側の縫合部とに袋形に縫着された裏布が設けられている下着。
【請求項２】
請求項１の下着において、前身頃，後身頃の腹部側の縫合部は下方に向けて湾曲して後身頃側に拡開されていることを特徴とする下着。
【請求項３】
請求項１または２の下着において、前見頃は前方に膨らんだ立体形状に形成されていることを特徴とする下着。
【請求項４】
請求項１〜３のいずれかの下着と、下着の前身頃と裏布との間に収容される模造された男性性器とを備え、模造された男性性器は陰茎部が陰嚢部に対する角度に可変性を有する弾性材で形成されていることを特徴とする下着セット。
【請求項５】
請求項４の下着セットにおいて、模造された男性性器は陰嚢部に恥骨部に対面する平面形の平坦部が設けられていることを特徴とする下着セット。
【発明の詳細な説明】
【技術分野】
【０００１】  本発明は、性同一性障害（Ｇｅｎｄｅｒ  Ｉｄｅｎｔｉｔｙ  Ｄｉｓｏｒｄｅｒ）の女性等が模造された男性性器を装身するための下着に係る技術分野に属する。
【背景技術】
【０００２】  最近、性同一性障害の存在が社会的に認知され、この障害をもった人の治療等が研究されるようになってきている。特に、この障害をもった女性の精神的な安定化，充足化を図るためには、異性装（男装）が有効であるということが確認されている。この異性装については、単なる男性用の衣服を装身するだけでなく、模造された男性性器を装身することが有効であるとされている。【０００３】  従来、模造された男性性器を装身する技術としては、例えば、特許文献１に記載のものが知られている。【０００４】  特許文献１には、腰に装着されるベルトに模造された男性性器の陰茎部を挿通支持する支持部材が取付けられた装着具が記載されている。【０００５】  特許文献１に係る装着具は、裸の女性の腰にベルトを装着し、模造された男性性器の陰茎部を支持部材で挿通支持することで、下着を穿いた感覚で模造された男性性器を装身することができるようにするものである。
【先行技術文献】
【特許文献】
【０００６】
【特許文献１】  特表２００４−５３６９７７号公報
【発明の概要】
【発明が解決しようとする課題】
【０００７】  特許文献１に係る装着具では、陰嚢部がないかまたは陰嚢部が極めて小さく模造された男性性器の陰茎部を支持するもので、リアル感に乏しく、男性性器を装身したという完全な充足感が得られないという問題点がある。また、模造された男性性器の陰茎部を強調して性的行為に供するものであるため、日常生活において恒常的に装身するには不適であるという問題点がある。【０００８】  なお、一般的なブリーフ形の男性用下着は、図７に示すように、前身頃１と脇見頃に連続した後身頃２とからなるもので、前身頃１と後身頃２との腹部側での縫合部３が腹部が挿通される開口の縁加工部４から大腿部が挿通される開口の縁加工部５まで湾曲拡開された格好になっている。縫合部３は、補強的なプリーツの構造を備えて、前身頃１の内側での男性性器のずれを防止しておさまりをよくする機能を奏する。【０００９】  従って、ブリーフ形の男性用下着を使用して模造された男性性器を縫合部３で囲まれた前身頃１の内側に装着すれば、模造された男性性器を装身することが可能になる。然しながら、下腹部に固定されていない模造された男性性器では、縫合部３で囲まれた前身頃１の内側でのずれを完全に防止することができず、日常生活において恒常的に装身するには不適であるという問題点がある。【００１０】  本発明は、このような問題点を考慮してなされたもので、日常生活において恒常的に装身して、男性性器を装身したという完全な充足感を得ることのできる下着と、この下着に模造された男性性器を組合わせた下着セットとを提供することを課題とする。
【課題を解決するための手段】
【００１１】  前述の課題を解決するため、本発明に係る下着は、特許請求の範囲の請求項１〜３に記載の手段を採用する。【００１２】  即ち、請求項１では、前身頃と脇見頃に連続した後身頃とが伸縮性を有する布地で形成され、前身頃，後身頃の腹部側の縫合部が腹部が挿通される開口の縁加工部から前身頃，後身頃の股間側の縫合部に延び、前身頃の内側に前身頃，後身頃の腹部側の縫合部の下半部と前身頃，後身頃の股間側の縫合部とに袋形に縫着された裏布が設けられている。【００１３】  この手段では、前身頃と裏布との間に陰茎部，陰嚢部を有して模造された男性性器を収容することができ、収容されている模造された男性性器を前身頃，後身頃の腹部側の縫合部で両側から挟込むように支持することで、収容されている模造された男性性器のずれを防止することができる。【００１４】  また、請求項２では、請求項１の下着において、前身頃，後身頃の腹部側の縫合部は下方に向けて湾曲して後身頃側に拡開されていることを特徴とする。【００１５】  この手段では、前身頃，後身頃の腹部側の縫合部が拡開されることで、模造された男性性器の陰嚢部の膨らみに対応することができる。【００１６】  また、請求項３では、請求項１または２の下着において、前見頃は前方に膨らんだ立体形状に形成されていることを特徴とする。【００１７】  この手段では、前見頃が前方に膨らんだ立体形状に形成されることで、模造された男性性器の陰茎部がどの位置にあっても陰茎部，陰嚢部の膨らみに対応することができる。【００１８】  前述の課題を解決するため、本発明に係る下着セットは、特許請求の範囲の請求項４，５に記載の手段を採用する。【００１９】  即ち、請求項４では、請求項１〜３のいずれかの下着と、下着の前身頃と裏布との間に収容される模造された男性性器とを備え、模造された男性性器は陰茎部が陰嚢部に対する角度に可変性を有する弾性材で形成されていることを特徴とする。【００２０】  この手段では、模造された男性性器の弾性を利用することで、陰茎部を自由な位置に設定して下着の前身頃と裏布との間に模造された男性性器を収容することができる。【００２１】  また、請求項５では、請求項４の下着セットにおいて、模造された男性性器は陰嚢部に恥骨部に対面する平面形の平坦部が設けられていることを特徴とする。【００２２】  この手段では、模造された男性性器に恥骨部に対面する平坦部が設けられることで、下着の前身頃と裏布との間に収容されている模造された男性性器の収容姿勢が安定化される。
【発明の効果】
【００２３】  本発明に係る下着は、前身頃と裏布との間に陰茎部，陰嚢部を有して模造された男性性器を収容することができ、収容されている模造された男性性器を前身頃，後身頃の腹部側の縫合部で両側から挟込むように支持することで、収容されている模造された男性性器のずれを防止することができるため、日常生活において恒常的に装身して、男性性器を装身したという完全な充足感を得ることができる効果がある。【００２４】  さらに、請求項２として、前身頃，後身頃の腹部側の縫合部が拡開されることで、模造された男性性器の陰嚢部の膨らみに対応することができるため、収容されている模造された男性性器のずれをより確実に防止することができる効果がある。【００２５】  さらに、請求項３として、前見頃が前方に膨らんだ立体形状に形成されることで、模造された男性性器の陰茎部がどの位置にあっても陰茎部，陰嚢部の膨らみに対応することができるため、陰茎部がどの位置にあっても収容されている模造された男性性器のずれをより確実に防止することができる効果がある。【００２６】  さらに、請求項４として、模造された男性性器の弾性を利用することで、陰茎部を自由な位置に設定して下着の前身頃と裏布との間に模造された男性性器を収容することができるため、使用者の好みに対応して模造された男性性器の収容形態を選択することができ、日常生活において恒常的に装身して、男性性器を装身したというより高く完全な充足感を得ることができる効果がある。【００２７】  さらに、請求項５として、模造された男性性器に恥骨部に対面する平坦部が設けられることで、下着の前身頃と裏布との間に収容されている模造された男性性器の収容姿勢が安定化されるため、収容されている模造された男性性器のずれをより確実に防止することができる効果がある。
【図面の簡単な説明】
【００２８】
【図１】  本発明に係る下着を実施するための形態の主要部を透視した正面図である。
【図２】  図１の側面図である（一部拡大断面図を含む）。
【図３】  図１のＸ−Ｘ線拡大断面図である。
【図４】  本発明に係る下着セットを実施するための形態の主要部の断面図である。
【図５】  本発明に係る下着および下着セットを実施するための形態の使用状態図である（要部拡大を含む）。
【図６】  図５とは別の使用状態図である（要部拡大を含む）。
【図７】  一般的な男性用下着の正面図である。
【発明を実施するための形態】
【００２９】  以下、本発明に係る下着および下着セットを実施するための形態を図面に基づいて説明する。
【００３０】  この形態は、下着Ａと模造された男性性器Ｂとの組合わせで構成されている。
【００３１】  下着Ａは、図１〜図３に示すように、前身頃１と脇見頃に連続した後身頃２とが伸縮性を有する薄地の布地で形成されている。前身頃１は、中央の下半部を切断して余分代を中央に寄せて縫合１ａする等によって、前方に膨らんだ立体形状１ｂに形成されている。前身頃１，後身頃２は、腹部側で長い２本のラインの縫合部３で縫着され、股間部側で短い１本のラインの縫合部５で縫着されている。腹部側の縫合部３は、腹部が挿通される開口の縁加工部４から、大腿部が挿通される開口の縁加工部５に到達することなく、股間部側の縫合部６にまで延びている。また、腹部側の縫合部３は、下半部に向けて間隔ａ，ｂが長くなるように湾曲して後身頃２側に拡開されている。
【００３２】  この下着Ａには、裏布７が縫着されている。裏布７は、伸縮性を有する薄地の布地でほぼ方形に形成されたもので、前身頃１の内側に前身頃１，後身頃２の腹部側の縫合部３の下半部と前身頃１，後身頃２の股間側の縫合部６とに袋形に縫着されている。裏布７の縫着については、図３に示すように、縫着強度を高めるために、前身頃１，後身頃２の間に差込まれて積層された状態で刺縫される構造となっている。なお、図３では前身頃１，後身頃２が連続されているが、前身頃１，後身頃２が別の布地とされることもある。
【００３３】  模造された男性性器Ｂは、図４に示すように、弾性材であるゴム材，合成樹脂材によって球体形の陰嚢部１０と棒体形の陰茎部２０とが形成され、実際の男性性器の外形（陰嚢部，陰茎部）と同一の形状（少し勃起した状態）になっている。陰嚢部１０には、恥骨部に対面する平面形の平坦部３０が設けられている。陰茎部２０は、弾性によって陰嚢部１０に対する角度に可変性を有している。
【００３４】  この形態では、２つの使用例が考えられる。
【００３５】  １つの使用例では、図５に示すように、模造された男性性器Ｂの陰茎部２０を陰嚢部１０の前に垂れさせた状態で下着Ａの前身頃１，裏布７の間の袋形となった部分に収容する。
【００３６】  この使用例で収容されている模造された男性性器Ｂは、陰嚢部１０が湾曲して拡開された前身頃１，後身頃２の腹部側の縫合部３で両側から挟込むように無理なく支持されることになる。また、模造された男性性器Ｂの陰茎部２０は、前身頃１の立体形状１ｂに無理なく収容される。このとき、前身頃１，後身頃２の腹部側の縫合部３が大腿部が挿通される開口の縁加工部５に到達していないため、陰嚢部１０を支持する引張力が大腿部が挿通される開口に作用して、大腿部が挿通される開口がずり上がってしまうようなことはない。模造された男性性器Ｂの陰嚢部１０を支持する引張力は、股間部側の縫合部６を介して後身頃２に作用するため、下着Ａの全体が体にフィットすることはあっても一部分に変形，ずれを生ずることはない。また、模造された男性性器Ｂの平坦部３０が恥骨部に対面するため、模造された男性性器Ｂの収容姿勢が安定化される。従って、下着Ａに収容されている模造された男性性器Ｂのずれが確実に防止される。この結果、日常生活において恒常的に装身して、男性性器を装身したという完全な充足感を得ることができる。
【００３７】  他の１つの使用例では、図６に示すように、模造された男性性器Ｂの陰茎部２０を陰嚢部１０から屹立させた状態で下着Ａの前身頃１，裏布７の間の袋形となった部分に収容する。
【００３８】  この使用例で収容されている模造された男性性器Ｂは、陰嚢部１０が湾曲して拡開された前身頃１，後身頃２の腹部側の縫合部３で両側から挟込むように無理なく支持されることになる。また、模造された男性性器Ｂの陰茎部２０は、間隔ａが狭くなった前身頃１，後身頃２の腹部側の縫合部３の上半部で両側から挟込まれて無理なく支持されることになる。このとき、前身頃１，後身頃２の腹部側の縫合部３が大腿部が挿通される開口の縁加工部５に到達していないため、陰嚢部１０を支持する引張力が大腿部が挿通される開口に作用して、大腿部が挿通される開口がずり上がってしまうようなことはない。模造された男性性器Ｂの陰嚢部１０を支持する引張力は、股間部側の縫合部６を介して後身頃２に作用するため、下着Ａの全体が体にフィットすることはあっても一部分に変形，ずれを生ずることはない。また、模造された男性性器Ｂの平坦部３０が恥骨部に対面するため、模造された男性性器Ｂの収容姿勢が安定化される。従って、下着Ａに収容されている模造された男性性器Ｂのずれが確実に防止される。この結果、日常生活において恒常的に装身して、男性性器を装身したという完全な充足感を得ることができる。なお、前身頃１の立体形状１ｂは、布地の伸縮性によって伸張するため、模造された男性性器Ｂの陰茎部２０がないことによって無用の皺寄せ等が生ずることはない。
【００３９】  下着Ａと模造された男性性器Ｂが組合わされてセットされることによって、使用者の好みに対応して模造された男性性器Ｂの収容形態を選択することができる。この結果、日常生活において恒常的に装身して、男性性器を装身したというより高く完全な充足感を得ることができる。
【００４０】  以上、図示した形態の外に、裏布７を網状等とすることも可能である。
【００４１】  さらに、下着Ａに対して、大きさや弾性の異なる複数の模造された男性性器Ｂを組合わせセットすることも可能である。
【産業上の利用可能性】
【００４２】  本発明に係る下着は、性同一性障害をもたない女性，男性が通常の下着として着用することも可能である。
【符号の説明】
【００４３】  １            前身頃
１ｂ          立体形状
２            後身頃
３            縫合部（腹部側の）
４            縁加工部（腹部が挿通される開口の）
５            縁加工部（大腿が挿通される開口の）
６            縫合部（股間側の）
７            裏布
１０          陰嚢部
２０          陰茎部
３０          平坦部
Ａ            下着
Ｂ            模造された男性性器
【図１】
2010261141.tif 000003
【図２】
2010261141.tif 000004
【図３】
2010261141.tif 000005
【図４】
2010261141.tif 000006
【図５】
2010261141.tif 000007
【図６】
2010261141.tif 000008
【図７】
2010261141.tif 000009